(57)【要約】【課題】  効率よく、熱媒体管を配管することができる、暖用の熱媒体管の配管方法を提供する。【解決手段】  この配管方法は、可撓性を有する暖用の温水管２を、床面１に沿って配管するための方法である。温水管２を配管するに先立ち、配管通路形成部材３を、根太材Ｊ、Ｊ間に架設しておく。そして、配管収容部５の開口部５ａから、温水管２を湾曲状に折り返した状態で、その湾曲した先端側から配管収容部５内に送り込む。こうして、配管収容部５内に温水管２が配管される。【選択図】  図５
2004219064.tif 000002
【特許請求の範囲】
【請求項１】
可撓性を有する暖用の熱媒体管を、被暖面に沿って配管するための配管方法であって、
前記被暖面に沿って設けられるとともに、その被暖面に沿う方向に開口する開口部を有する配管収容部の、前記開口部から、前記熱媒体管を湾曲状に折り返した状態で、その湾曲した先端側から前記配管収容部内に送り込むことにより、前記被暖面に沿って前記熱媒体管を配管することを特徴とする、暖用の熱媒体管の配管方法。
【請求項２】
前記配管収容部は、複数が前記被暖面に沿って区画されて設けられ、前記区画された一の配管収容部の前記開口部から、前記熱媒体管を湾曲状に折り返した状態で、その湾曲した先端側から前記一の配管収容部内に送り込んで、その一の配管収容部内に前記熱媒体管を配管した後、同様にして、他の配管収容部内に、前記熱媒体管の残りの部分を順次配管することを特徴とする請求項１に記載の、暖用の熱媒体管の配管方法。
【請求項３】
折り返された前記熱媒体管に挟まれる空間部を塞ぐように、前記開口部から前記配管収容部内に断熱用部材を送り込むことを特徴とする請求項１または２に記載の、暖用の熱媒体管の配管方法。
【請求項４】
前記被暖面は、建物の床面からなり、
前記配管収容部は、前記床面下の根太材に沿って設けられることを特徴とする請求項１ないし３のいずれか１項に記載の、暖用の熱媒体管の配管方法。
【請求項５】
可撓性を有する暖用の熱媒体管を、被暖面に沿って更新配管するための配管方法であって、
前記被暖面に沿って設けられるとともに、その被暖面に沿う方向に開口する開口部を有する配管収容部内に、湾曲状に折り返された状態で配管された既設の前記熱媒体管を、前記開口部から、前記配管収容部外に引き抜いた後、前記開口部から、新たな前記熱媒体管を、湾曲状に折り返した状態で、その湾曲した先端側から前記配管収容部内に送り込むことにより、前記被暖面に沿って前記新たな熱媒体管を配管することを特徴とする、暖用の熱媒体管の配管方法。
【請求項６】
折り返された前記新たな熱媒体管に挟まれる空間部を塞ぐように、前記開口部から前記配管収容部内に断熱用部材を送り込むことを特徴とする請求項５に記載の、暖用の熱媒体管の配管方法。
【請求項７】
可撓性を有する暖用の熱媒体管の配管通路を、被暖面に沿って形成するための配管通路形成部材であって、
前記配管通路を形成すべく、前記熱媒体管を収容する配管収容部を有し、
前記配管収容部は、前記熱媒体管が、湾曲状に折り返された状態で、その熱媒体管を収容可能とすべく、折り返された前記熱媒体管を収める幅寸法を有して延設されるとともに、湾曲状に折り返された前記熱媒体管を、その湾曲した先端側から前記配管収容部内に送り込むことが可能な開口部を有することを特徴とする、暖用の熱媒体管の配管通路形成部材。
【請求項８】
前記配管通路形成部材は、前記配管収容部内に配管された前記熱媒体管から発生する熱を前記被暖面に伝達すべく、前記配管収容部の、前記被暖面側を閉塞する熱伝達部材を備えることを特徴とする請求項７に記載の、暖用の熱媒体管の配管通路形成部材。
【請求項９】
前記配管通路形成部材は、前記熱媒体管の外面と接触し、前記熱媒体管から発生する熱を前記熱伝達部材に伝達する接触部材を備えることを特徴とする請求項８に記載の、暖用の熱媒体管の配管通路形成部材。
【請求項１０】
前記接触部材は、前記熱伝達部材に接触することにより、前記熱媒体管から発生する熱を前記熱伝達部材に伝達することを特徴とする請求項９に記載の、暖用の熱媒体管の配管通路形成部材。
【請求項１１】
前記接触部材は、前記配管収容部の両側に設けられていることを特徴とする請求項９または１０に記載の、暖用の熱媒体管の配管通路形成部材。
【請求項１２】
前記配管通路形成部材は、折り返された前記熱媒体管に挟まれる空間部を塞ぐべく、前記配管収容部内に収容される断熱用部材を備えることを特徴とする請求項７ないし１１のいずれか１項に記載の、暖用の熱媒体管の配管通路形成部材。
【請求項１３】
前記配管通路形成部材は、その配管通路形成部材が根太材間に架設されるべく、前記根太材に掛けられる掛り部を有することを特徴とする請求項７ないし１２のいずれか１項に記載の、暖用の熱媒体管の配管通路形成部材。
【請求項１４】
請求項７ないし１３のいずれか１項に記載の配管通路形成部材を、前記被暖面に沿って配備してなる、暖用の熱媒体管の配管通路形成構造。
【発明の詳細な説明】
【技術分野】
【０００１】
この発明は、可撓性を有する暖用の熱媒体管を被暖面に沿って配管するための、暖用の熱媒体管の、配管方法、配管通路形成部材、および配管通路形成構造に関するものである。
【背景技術】
【０００２】
従来、例えば、床暖房用のパネルとして、図２１に示されるパネル３１があった（特許文献１参照）。このパネル３１は、床の下面側に配備されるものであり、上面には熱媒体管としての温水管３２が配管される溝部３３、３３が形成されていた。すなわち、施工にあたっては、パネル３１を配設した後に、そのパネル３１の上面側から、温水管３２を、パネル３１の溝部３３に挿入するようにして、溝部３３に沿って順番に配管していた。そして、温水管３２が配管されたパネル３１の上に、床が敷設された。
【０００３】
【特許文献１】特開２０００−３９１５９号公報
【発明の開示】
【発明が解決しようとする課題】
【０００４】
ところで、前記従来の床暖房用のパネル３１を用いた床暖房の施工にあたっては、温水管３２を、パネル３１の上面側から、パネル３１の溝部３３に挿入するように、その溝部３３に沿って移動しながら配管しなければならなかった。したがって、その温水管３２の長さに応じて、作業者の動線が長くならざるを得ず、作業効率が悪かった。
【０００５】
また、温水管３２を、更新配管する場合には、溝部３３を露出させるために、一端、床を全て取り除く必要があり、大変面倒であった。
【０００６】
この発明は、上記した従来の欠点を解決するためになされたものであり、その目的とするところは、効率よく、熱媒体管を配管することができる、暖用の熱媒体管の、配管方法、配管通路形成部材、および配管通路形成構造を提供することにある。
【０００７】
また、他の目的は、容易に、かつ効率よく熱媒体管を更新配管することができる、暖用の熱媒体管の、配管方法、配管通路形成部材、および配管通路形成構造を提供することにある。
【課題を解決するための手段】
【０００８】
この発明に係る、暖用の熱媒体管の、配管方法、配管通路形成部材、および配管通路形成構造は、前記目的を達成するために、次の構成からなる。すなわち、
請求項１に記載の発明に係る暖用の熱媒体管の配管方法は、可撓性を有する暖用の熱媒体管を、被暖面に沿って配管するための配管方法である。この配管方法は、前記被暖面に沿って設けられるとともに、その被暖面に沿う方向に開口する開口部を有する配管収容部の、前記開口部から、前記熱媒体管を湾曲状に折り返した状態で、その湾曲した先端側から前記配管収容部内に送り込むことにより、前記被暖面に沿って前記熱媒体管を配管する。
【０００９】
このように、被暖面に沿って設けられた配管収容部は、被暖面に沿う方向に開口する開口部を有している。そして、この配管方法によると、配管収容部の開口部から、熱媒体管を、湾曲状に折り返して、その湾曲した先端側から配管収容部内に送り込むことで、熱媒体管を配管する。こうして、熱媒体管を、湾曲状に折り返して、開口部から配管収容部内に送り込むことで、作業者は、配管経路に沿って移動することなく、熱媒体管を配管することができる。
【００１０】
また、請求項２に記載の発明に係る暖用の熱媒体管の配管方法のように、請求項１に記載の配管方法において、前記配管収容部は、複数が前記被暖面に沿って区画されて設けられ、前記区画された一の配管収容部の前記開口部から、前記熱媒体管を湾曲状に折り返した状態で、その湾曲した先端側から前記一の配管収容部内に送り込んで、その一の配管収容部内に前記熱媒体管を配管した後、同様にして、他の配管収容部内に、前記熱媒体管の残りの部分を順次配管してもよい。これにより、作業者が、配管収容部の各開口部を移動して、熱媒体管を、順次配管収容部に配管することで、この熱媒体管は、広範囲に配管される。
【００１１】
また、請求項３に記載の発明に係る暖用の熱媒体管の配管方法のように、請求項１または２に記載の配管方法において、折り返された前記熱媒体管に挟まれる空間部を塞ぐように、前記開口部から前記配管収容部内に断熱用部材を送り込んでもよい。こうして、断熱用部材が、折り返された熱媒体管に挟まれる空間部を塞ぎ、熱効率が高まる。なお、この断熱用部材は、熱媒体管を配管収容部内に配管した後に、送り込まれてもよいが、熱媒体管の送り込みと同時に送り込まれてもよい。すなわち、断熱用部材を用いて、熱媒体管を配管収容部内に押し込むようにしてもよい。
【００１２】
また、請求項４に記載の発明に係る暖用の熱媒体管の配管方法のように、請求項１ないし３のいずれか１項に記載の配管方法において、前記被暖面は、建物の床面からなり、前記配管収容部は、前記床面下の根太材に沿って設けられてもよい。こうして、配管収容部が、床面下の根太材に沿って設けられることで、熱媒体管は、床面に沿って配管され、この配管収容部および熱媒体管によって床面が暖められる。
【００１３】
また、請求項５に記載の発明に係る暖用の熱媒体管の配管方法は、可撓性を有する暖用の熱媒体管を、被暖面に沿って更新配管するための配管方法である。この配管方法は、前記被暖面に沿って設けられるとともに、その被暖面に沿う方向に開口する開口部を有する配管収容部内に、湾曲状に折り返された状態で配管された既設の前記熱媒体管を、前記開口部から、前記配管収容部外に引き抜いた後、前記開口部から、新たな前記熱媒体管を、湾曲状に折り返した状態で、その湾曲した先端側から前記配管収容部内に送り込むことにより、前記被暖面に沿って前記新たな熱媒体管を配管する。
【００１４】
このように、被暖面に沿って設けられた配管収容部は、被暖面に沿う方向に開口する開口部を有している。そして、この更新配管するための配管方法によると、配管収容部の開口部から、湾曲状に折り返された状態で配管された既設の熱媒体管を、配管収容部外に引き抜いた後に、開口部から、新たな熱媒体管を、湾曲状に折り返して、その湾曲した先端側から配管収容部内に送り込むことで、熱媒体管を更新配管する。こうして、既設の熱媒体管を、開口部から配管収容部外に引き抜いたり、新たな熱媒体管を、湾曲状に折り返して、開口部から配管収容部内に送り込むことで、作業者は、配管経路に沿って移動することなく、熱媒体管を更新配管することができる。また、このように、作業者が配管経路に沿って移動する必要がないので、被暖面を形成する部材の全体を取り除くことなく、開口部に対応する部分を取り除くことで、更新配管することも可能となる。
【００１５】
また、請求項６に記載の発明に係る暖用の熱媒体管の配管方法のように、請求項５に記載の配管方法において、折り返された前記新たな熱媒体管に挟まれる空間部を塞ぐように、前記開口部から前記配管収容部内に断熱用部材を送り込んでもよい。こうして、断熱用部材が、折り返された熱媒体管に挟まれる空間部を塞ぎ、熱効率が高まる。なお、この断熱用部材は、熱媒体管を配管収容部内に配管した後に、送り込まれてもよいが、熱媒体管の送り込みと同時に送り込まれてもよい。すなわち、断熱用部材を用いて、熱媒体管を配管収容部内に押し込むようにしてもよい。
【００１６】
また、請求項７に記載の発明に係る暖用の熱媒体管の配管通路形成部材は、可撓性を有する暖用の熱媒体管の配管通路を、被暖面に沿って形成するための配管通路形成部材であって、前記配管通路を形成すべく、前記熱媒体管を収容する配管収容部を有する。ここで、前記配管収容部は、前記熱媒体管が、湾曲状に折り返された状態で、その熱媒体管を収容可能とすべく、折り返された前記熱媒体管を収める幅寸法を有して延設されるとともに、湾曲状に折り返された前記熱媒体管を、その湾曲した先端側から前記配管収容部内に送り込むことが可能な開口部を有する。
【００１７】
この配管通路形成部材の配管収容部に、熱媒体管を配管するには、配管収容部の開口部から、熱媒体管を、湾曲状に折り返して、その湾曲した先端側から配管収容部内に送り込む。このように、熱媒体管を、湾曲状に折り返して、開口部から配管収容部内に送り込むことで、作業者は、配管経路に沿って移動することなく、熱媒体管を配管することができる。また、この熱媒体管を更新配管する場合には、配管収容部の開口部から、湾曲状に折り返された状態で配管された既設の熱媒体管を、配管収容部外に引き抜いた後に、開口部から、新たな熱媒体管を、湾曲状に折り返して、その湾曲した先端側から配管収容部内に送り込むことで、熱媒体管を更新配管する。このように、既設の熱媒体管を、開口部から配管収容部外に引き抜いたり、新たな熱媒体管を、湾曲状に折り返して、開口部から配管収容部内に送り込むことで、作業者は、配管経路に沿って移動することなく、熱媒体管を更新配管することができる。また、このように、作業者が配管経路に沿って移動する必要がないので、被暖面を形成する部材の全体を取り除くことなく、開口部に対応する部分を取り除くことで、更新配管することも可能となる。
【００１８】
また、請求項８に記載の発明に係る暖用の熱媒体管の配管通路形成部材のように、請求項７に記載の配管通路形成部材において、前記配管収容部内に配管された前記熱媒体管から発生する熱を前記被暖面に伝達すべく、前記配管収容部の、前記被暖面側を閉塞する熱伝達部材を備えてもよい。これにより、熱媒体管から発生する熱は、配管収容部の、被暖面側を閉塞する熱伝達部材を介して、被暖面に伝達される。このように、熱伝達部材を介すことで、被暖面が効率よく暖められる。
【００１９】
また、請求項９に記載の発明に係る暖用の熱媒体管の配管通路形成部材のように、請求項８に記載の配管通路形成部材において、前記熱媒体管の外面と接触し、前記熱媒体管から発生する熱を前記熱伝達部材に伝達する接触部材を備えてもよい。これにより、熱媒体管から発生する熱は、熱媒体管の外面と接触する接触部材、および、配管収容部の、被暖面側を閉塞する熱伝達部材を介して、被暖面に伝達される。このように、接触部材および熱伝達部材を介すことで、被暖面が一層効率よく暖められる。
【００２０】
また、請求項１０に記載の発明に係る暖用の熱媒体管の配管通路形成部材のように、請求項９に記載の配管通路形成部材において、前記接触部材は、前記熱伝達部材に接触することにより、前記熱媒体管から発生する熱を前記熱伝達部材に伝達してもよい。こうして、接触部材が熱伝達部材に接触することで、この接触部材が熱媒体管から受けた熱は、熱伝達部材に効率的に伝達され、被暖面は、より一層効率よく暖められる。
【００２１】
また、請求項１１に記載の発明に係る暖用の熱媒体管の配管通路形成部材のように、請求項９または１０に記載の配管通路形成部材において、前記接触部材は、前記配管収容部の両側に設けられてもよい。こうして、接触部材が、配管収容部の両側に設けられることで、熱媒体管を湾曲状に折り返した状態でその湾曲した先端側から配管収容部内に送り込む際に、その送り込みを、接触部材が妨げることがない。
【００２２】
また、請求項１２に記載の発明に係る暖用の熱媒体管の配管通路形成部材のように、請求項７ないし１１のいずれか１項に記載の配管通路形成部材において、前記配管通路形成部材は、折り返された前記熱媒体管に挟まれる空間部を塞ぐべく、前記配管収容部内に収容される断熱用部材を備えてもよい。こうして、断熱用部材が、折り返された熱媒体管に挟まれる空間部を塞ぎ、熱効率が高まる。
【００２３】
また、請求項１３に記載の発明に係る暖用の熱媒体管の配管通路形成部材のように、請求項７ないし１２のいずれか１項に記載の配管通路形成部材において、その配管通路形成部材が根太材間に架設されるべく、前記根太材に掛けられる掛り部を有してもよい。こうして、掛り部が根太材に掛けられることで、この配管通路形成部材は、根太材間に架設されるので、この配管通路形成部材は、根太材間に容易に配備される。
【００２４】
また、請求項１４に記載の発明に係る暖用の熱媒体管の配管通路形成構造は、請求項７ないし１３のいずれか１項に記載の配管通路形成部材を、前記被暖面に沿って配備してなる。
【発明の効果】
【００２５】
以上、詳述したところから明らかなように、この発明に係る、暖用の熱媒体管の、配管方法、配管通路形成部材、および配管通路形成構造によれば、次の効果がある。
【００２６】
請求項１に記載された暖用の熱媒体管の配管方法によれば、熱媒体管を、湾曲状に折り返して、開口部から配管収容部内に送り込むことで、作業者は、配管経路に沿って移動することなく、効率よく、熱媒体管を配管することができる。
【００２７】
また、請求項２に記載された暖用の熱媒体管の配管方法によれば、請求項１の効果に加えて、作業者が、配管収容部の各開口部を移動して、熱媒体管を、順次配管収容部に配管することで、この熱媒体管を、広範囲に配管することができる。
【００２８】
また、請求項３に記載された暖用の熱媒体管の配管方法によれば、請求項１または２の効果に加えて、開口部から配管収容部内に断熱用部材を送り込むことで、その断熱用部材が、折り返された熱媒体管に挟まれる空間部を塞ぎ、熱効率を高めることができる。
【００２９】
また、請求項４に記載された暖用の熱媒体管の配管方法によれば、請求項１ないし３のいずれか１項の効果に加えて、配管収容部が、床面下の根太材に沿って設けられることで、熱媒体管は、床面に沿って配管され、この配管収容部および熱媒体管によって、床面を暖めることができる。
【００３０】
また、請求項５に記載された暖用の熱媒体管の配管方法によれば、既設の熱媒体管を、開口部から配管収容部外に引き抜き、新たな熱媒体管を、湾曲状に折り返して、開口部から配管収容部内に送り込むことで、作業者は、配管経路に沿って移動することなく、容易に、かつ効率よく、熱媒体管を更新配管することができる。
【００３１】
また、請求項６に記載された暖用の熱媒体管の配管方法によれば、請求項５の効果に加えて、開口部から配管収容部内に断熱用部材を送り込むことで、その断熱用部材が、折り返された熱媒体管に挟まれる空間部を塞ぎ、熱効率を高めることができる。
【００３２】
また、請求項７に記載された暖用の熱媒体管の配管通路形成部材、または請求項１４に記載された暖用の熱媒体管の配管通路形成構造によれば、熱媒体管を、湾曲状に折り返して、開口部から配管収容部内に送り込むことで、作業者は、配管経路に沿って移動することなく、効率よく、熱媒体管を配管することができる。そして、熱媒体管を更新配管する場合には、既設の熱媒体管を、開口部から配管収容部外に引き抜き、新たな熱媒体管を、湾曲状に折り返して、開口部から配管収容部内に送り込むことで、作業者は、配管経路に沿って移動することなく、容易に、かつ効率よく、熱媒体管を更新配管することができる。
【００３３】
また、請求項８に記載された暖用の熱媒体管の配管通路形成部材によれば、請求項７の効果に加えて、熱伝達部材を介すことで、被暖面を効率よく暖めることができる。
【００３４】
また、請求項９に記載された暖用の熱媒体管の配管通路形成部材によれば、請求項８の効果に加えて、接触部材および熱伝達部材を介すことで、被暖面を一層効率よく暖めることができる。
【００３５】
また、請求項１０に記載された暖用の熱媒体管の配管通路形成部材によれば、請求項９の効果に加えて、接触部材が熱伝達部材に接触することで、この接触部材が熱媒体管から受けた熱は、熱伝達部材に効率的に伝達されるので、被暖面をより一層効率よく暖めることができる。
【００３６】
また、請求項１１に記載された暖用の熱媒体管の配管通路形成部材によれば、請求項９または１０の効果に加えて、接触部材が、配管収容部の両側に設けられることで、熱媒体管を湾曲状に折り返した状態でその湾曲した先端側から配管収容部内に送り込む際に、その熱媒体管を、接触部材に妨げられることなく、容易に送り込むことができる。
【００３７】
また、請求項１２に記載された暖用の熱媒体管の配管通路形成部材によれば、請求項７ないし１１のいずれか１項の効果に加えて、断熱用部材が、折り返された熱媒体管に挟まれる空間部を塞ぎ、熱効率を高めることができる。
【００３８】
また、請求項１３に記載された暖用の熱媒体管の配管通路形成部材によれば、請求項７ないし１２のいずれか１項の効果に加えて、掛り部によって、この配管通路形成部材を根太材間に容易に配備することができる。
【発明を実施するための最良の形態】
【００３９】
以下、この発明に係る、暖用の熱媒体管の、配管方法、配管通路形成部材、および配管通路形成構造を実施するための最良の形態を図面に基づいて説明する。
【００４０】
図１ないし図５は、本発明に係る、暖用の熱媒体管の、配管方法、配管通路形成部材、および配管通路形成構造を、床暖房に適用した第一の実施の形態を示す。図中符号１は、被暖面としての、建物の床板Ｆの上面、すなわち、建物の床面である。２は、可撓性を有する暖用の熱媒体管としての温水管、すなわち、熱媒体としての温水が通る温水管である。３は、前記温水管２の配管通路を、床面１に沿って形成するための配管通路形成部材であって、図示実施の形態においては、床板Ｆが載る根太材Ｊ、Ｊ間に配備される。４は、前記配管通路形成部材３、３を、前記床面１に沿って配備してなる、配管通路形成構造である。
【００４１】
ここで、配管通路形成部材３は、配管通路を形成すべく、温水管２を収容する配管収容部５を有している。この配管収容部５は、温水管２が、湾曲状に折り返された状態で、その温水管２を収容可能とすべく、折り返された温水管２を収める幅寸法を有して長手方向に延設されている。さらに、この配管収容部５は、湾曲状に折り返された温水管２を、その湾曲した先端側から配管収容部５内に送り込むことが可能な開口部５ａを有している。このとき、温水管２は、湾曲状に折り返されて配管収容部５内に送り込まれるような、適度な剛性を有している。
【００４２】
具体的には、配管通路形成部材３は、本体６と接触部材７と熱伝達部材８とを備えている。本体６は、断熱材としての発泡材、例えば、発泡スチロールからなる。この本体６は、盤状の基部６ａと、その両側部から上方に突出する突条部６ｂ、６ｂとが、長手方向に延設されて形成されている。そして、両突条部６ｂ、６ｂ間が、長手方向に延設される凹部６ｃとなっている。そして、この凹部６ｃ内に、前記配管収容部５が設けられる。また、本体６の側部には、この配管通路形成部材３が根太材Ｊ、Ｊ間に配備されたときに、突っ張るようにして根太材Ｊ、Ｊに押し当てられる、変位あるいは変形可能な緩衝部６ｄ、６ｄが設けられている。詳細には、緩衝部６ｄは、本体の各側部から、前記突条部６ｂの外側面との間に縦断面ほぼ楔形の緩衝空間６ｆを形成するようにして、斜め側方に突出して形成されている。そして、この緩衝部６ｄは、長手方向に断続して並ぶようにして設けられている。また、本体６には、突条部６ｂから基部６ａに渡って貫通形成された第１の通孔６ｅ、６ｅが明けられている。
【００４３】
接触部材７は、温水管２の外面と接触し、温水管２から発生する熱を、後に詳述する熱伝達部材８に伝達するものである。具体的には、接触部材７は、アルミ板等の、例えば板状の導体からなり、本体６の各突条部６ｂ、６ｂに沿うように、その本体６に取り付けられる。この接触部材７は、本体６における突条部６ｂの上面から、凹部６ｃの側面、そして、凹部６ｃの底面に若干渡るように折り曲げられ、そして、本体６の長手方向の端部部分を除いて、その長手方向に延設されるように形成されている。すなわち、接触部材７は、突条部６ｂの上面に載る上片７ａと、この上片７ａから下るように湾曲して前記温水管２の外面と接触する湾曲片Ｒを備えており、かつ、この湾曲片Ｒは、凹部６ｃの側面と対向する側片７ｂと、凹部６ｃの底面に載る下片７ｃと、側片７ｂから下片７ｃに移るアール状のコーナー片７ｄとからなる。そして、上片７ａには、本体６における第１の通孔６ｅ、６ｅと連通する第２の通孔７ｅ、７ｅが明けられている。なお、前記本体６は、この接触部材７が嵌るように、この接触部材７が当たる部分が若干窪んで形成されている。
【００４４】
そして、これら接触部材７、７に挟まれる空間および、本体６の両突条部６ｂ、６ｂの端部部分に挟まれる空間が、前記配管収容部５となり、また、この配管収容部５の長手方向の各側が、前記開口部５ａとなる。そして、接触部材７における湾曲片Ｒのコーナー片７ｄが、前記温水管２の外面と接触することとなる。また、こうして、接触部材７、７は、配管収容部５の両側に設けられることとなる。そして、このように、接触部材７、７が、配管収容部５の両側に設けられることで、温水管２を湾曲状に折り返した状態でその湾曲した先端側から配管収容部５内に送り込む際に、温水管２を、接触部材７、７に妨げられることなく、容易に送り込むことができる。ところで、図示実施の形態においては、接触部材７における上片７ａが、後に詳述する熱伝達部材８に接触する。すなわち、接触部材７は、温水管２の外面と接触するとともに、熱伝達部材８に接触し、温水管２から発生する熱を熱伝達部材８に伝達する。
【００４５】
熱伝達部材８は、配管収容部５内に配管された温水管２から発生する熱を床面１に伝達すべく、配管収容部５の、床面１側を閉塞するものであり、図示実施の形態においては、この熱伝達部材８は、被暖面としての床面１を備える被暖物とての床、すなわち床板Ｆの裏面側に接触するように配備される。具体的には、熱伝達部材８は、アルミ板等の、板状の導体からなる。この熱伝達部材８は、平板状に形成されて、配管収容部５を覆うように、本体６の両突条部６ｂ、６ｂ、詳細には両接触部材７、７の上片７ａ、７ａに架けられる。こうして、前記接触部材７は、熱伝達部材８に接触することとなる。そして、この熱伝達部材８の両側部には、接触部材７、７における第２の通孔７ｅ、７ｅと連通する第３の通孔８ａ、８ａが明けられている。
【００４６】
また、配管通路形成部材３は、その配管通路形成部材３が根太材Ｊ、Ｊ間に架設されるべく、根太材Ｊ、Ｊに掛けられる掛り部９、９を有している。すなわち、前記熱伝達部材８は、本体６よりもその両側方に張り出すように形成されており、その張り出した部分が、この掛り部９、９となっている。また、こうして、配管通路形成部材３が、根太材Ｊ、Ｊ間に架設されて、配管収容部５は、床面１下の根太材Ｊに沿って設けられ、そして、温水管２は、配管収容部５内に収容されることで床面１に沿って配管される。そして、これら配管収容部５および温水管２によって、床面１が温められる。なお、接触部材７および熱伝達部材８は、図２に示すように、固定具１１としての、ネジＳおよびナットＮによって、本体６に、例えば共締めされるようにして、固定される。すなわち、ネジＳが、第１ないし第３の通孔６ｅ、７ｅ、８ａに通され、そのネジＳの先端からナットＮが締め込まれる。
【００４７】
次に、この配管通路形成部材３を用いた、温水管２の配管方法について説明する。この配管方法は、可撓性を有する暖用の熱媒体管としての温水管２を、被暖面としての床面１に沿って配管するための配管方法である。この温水管２を配管するに先立ち、配管通路形成部材３を、根太材Ｊ、Ｊ間に、縦方向および横方向に並ぶようにして、順次架設する。こうして、配管通路形成部材３における配管収容部５が、床面１に沿って設けられる（詳細には、床面１下の根太材Ｊに沿って設けられる）とともに、配管収容部５の開口部５ａが、床面１に沿う方向（詳細には、根太材Ｊに沿う方向）に開口することとなる。そして、配管収容部５は、複数が床面１に沿って区画されて設けられる。そこで、区画された一の配管収容部５の開口部５ａから、図５に示すように、温水管２を湾曲状に折り返した状態で、その湾曲した先端側から前記一の配管収容部５内に送り込むことにより、その一の配管収容部５内に温水管２を配管する。その後、同様にして、他の配管収容部５内（図示実施の形態においては、隣接する配管収容部５内）に、温水管２の残りの部分を順次配管することで、床面１に沿って温水管２を配管する（図１参照）。ここで、温水管２を配管収容部５内に送り込むにあたって、折り返した温水管２の、その前に配管された配管収容部５側にある一方を止めて、他方を送り込むことにより、この温水管２は、順次、配管収容部５、５内に配管される。
【００４８】
次いで、この温水管２を、床面１に沿って更新配管するための配管方法について説明する。この更新配管に先立ち、配管通路形成部材３、３の開口部５ａ、５ａに対応する部分の床板Ｆを剥しておく。そこで、湾曲状に折り返された状態で配管された既設の温水管２を、前記開口部５ａから、配管収容部５外に引き抜く。その後、開口部５ａから、新たな温水管２を、湾曲状に折り返した状態で、その湾曲した先端側から配管収容部５内に送り込むことにより、床面１に沿って新たな温水管２を配管する。こうして、温水管２を各配管収容部５、５内に配管した後に、剥がした床板Ｆを元に戻す。
【００４９】
次に、以上の構成からなる、温水管２の配管方法、配管通路形成部材３、および配管通路形成構造４の作用効果について説明する。この配管通路形成部材３によると、その掛り部９、９が根太材Ｊ、Ｊに掛けられることで、この配管通路形成部材３は、根太材Ｊ、Ｊ間に架設される。したがって、この配管通路形成部材３を、根太材Ｊ、Ｊ間に容易に配備することができる。また、このとき、配管通路形成部材３における本体６には、緩衝部６ｄ、６ｄが設けられているため、この配管通路形成部材３は、根太材Ｊ、Ｊ間にガタなく緊密に配備される。したがって、温水管２を配管したり、更新配管したりする際に、この配管通路形成部材３は、その長手方向にずれ難くなっている。しかも、緩衝部６ｄ、６ｄは、長手方向に断続して並ぶように形成されており、根太材Ｊが真直ぐでない場合であっても、その根太材Ｊ、Ｊ間に容易に配備することができる。
【００５０】
また、この配管通路形成部材３の配管収容部５に、温水管２を配管するには、配管収容部５の開口部５ａから、温水管２を、湾曲状に折り返して、その湾曲した先端側から配管収容部５内に送り込む（図５参照）。このように、温水管２を、湾曲状に折り返して、開口部５ａから配管収容部５内に送り込むことで、作業者は、配管経路に沿って移動することなく、効率よく、温水管２を配管することができる。しかも、配管収容部５は、床面１側が、熱伝達部材８によって閉塞されているので、温水管２を配管収容部５内に送り込む途中で、その温水管２が、配管収容部５から床面１側に飛び出すこともなく、簡単に温水管２を配管することができる。そして、作業者が、配管収容部５、５の各開口部５ａ、５ａを移動して、温水管２を、順次配管収容部５、５に配管することで、この温水管２を、広範囲に配管することができる。
【００５１】
また、この温水管２を更新配管する場合には、配管収容部５の開口部５ａから、湾曲状に折り返された状態で配管された既設の温水管２を、配管収容部５外に引き抜いた後に、開口部５ａから、新たな温水管２を、湾曲状に折り返して、その湾曲した先端側から配管収容部５内に送り込むことで、温水管２を更新配管する。このように、既設の温水管２を、開口部５ａから配管収容部５外に引き抜いたり、新たな温水管２を、湾曲状に折り返して、開口部５ａから配管収容部５内に送り込むことで、作業者は、配管経路に沿って移動することなく、容易に、かつ効率よく、温水管２を更新配管することができる。また、このように、作業者が配管経路に沿って移動する必要がないので、床面１を形成する部材、すなわち床板Ｆの全体を取り除くことなく、開口部５ａに対応する部分を取り除くことで、更新配管することも可能となる。ところで、図示実施の形態においては、配管収容部５、５は、それぞれ根太材Ｊ、Ｊに沿って設けられるため、それら配管収容部５、５の開口部５ａ、５ａは、根太材Ｊ、Ｊに直交する方向に並んでいる。一方、床板Ｆは、その長手方向が根太材Ｊ、Ｊと直交するように敷設される。したがって、開口部５ａ、５ａの並ぶ方向と、床板Ｆの長手方向が一致し、そのため、この開口部５ａ、５ａに対応する部分の床板Ｆのみを簡単に取り除くことができる。
【００５２】
また、こうして、温水管２が、配管通路形成部材３における配管収容部５内に配管されると、温水管２から発生する熱は、温水管２の外面と接触する接触部材７、および、配管収容部５の、床面１側を閉塞する熱伝達部材８を介して、床面１に伝達される。このように、接触部材７とか熱伝達部材８を介すことで、床面１が効率よく暖められる。ところで、図示実施の形態においては、接触部材７は、熱伝達部材８に接触している。したがって、この接触部材７が温水管２から受けた熱は、熱伝達部材８に効率的に伝達され、床面１は、より一層効率よく暖められる。
【００５３】
ところで、上述した第一の実施の形態において、配管通路形成部材３は、図６および図７に示すように、折り返された温水管２に挟まれる空間部を塞ぐべく、配管収容部５内に収容される、例えば平板材からなる断熱用部材１０を備えていてもよい。この断熱用部材１０は、本体６と同様に、断熱材としての発泡材、例えば、発泡スチロールからなる。そして、配管方法においては、温水管２を、配管あるいは更新配管する際に、この断熱用部材１０を、折り返された温水管２に挟まれる空間部を塞ぐように、開口部５ａから配管収容部５内に送り込む。もっとも、この断熱用部材１０は、温水管２を配管収容部５内に配管した後に、送り込まれてもよいが、図７に示すように、温水管２の送り込みと同時に送り込まれてもよい。すなわち、断熱用部材１０を用いて、温水管２を配管収容部５内に押し込むようにしてもよい。こうして、この断熱用部材１０が、折り返された温水管２に挟まれる空間部を塞ぎ、この床暖房の熱効率が高まることとなる。
【００５４】
図８ないし図１８は、本発明に係る、暖用の熱媒体管の、配管方法、配管通路形成部材、および配管通路形成構造を、同じく床暖房に適用した第二の実施の形態を示す。この第二の実施の形態においては、配管通路形成部材として、第１の配管通路形成部材２１と第２の配管通路形成部材２２とを有し、また、図６および図７に示す例と同様に断熱用部材１０を有するが、基本となる構成は、第一の実施の形態と同様であり、以下に異なる部分を主に説明する。
【００５５】
第１の配管通路形成部材２１は、図１１および図１２に示すように、第一の実施の形態に示す配管通路形成部材３とは、本体６の緩衝部６ｄの形状、熱伝達部材８の幅寸法、および固定具１１の構成が異なるが、その他の構造は同様である。すなわち、第１の配管通路形成部材２１は、本体６と接触部材７、７と熱伝達部材８と固定具１１、１１とからなる。本体６は、第一の実施の形態と同様に、盤状の基部６ａと、その両側部から上方に突出する突条部６ｂ、６ｂとを備えて、両突条部６ｂ、６ｂ間が、凹部６ｃとなり、この凹部６ｃ内に、配管収容部５が設けられる。そして、この配管収容部５の長手方向の各側が、湾曲状に折り返された熱媒体管としての温水管２を、その湾曲した先端側から配管収容部５内に送り込むことが可能な開口部５ａとなっている。本体６には、突条部６ｂから基部６ａに渡って貫通形成された第１の通孔６ｅ、６ｅが明けられている。そして、第一の実施の形態とは異なり、本体６における緩衝部６ｄは、本体６の各側部のほぼ全長に渡って、すなわち長手方向に連続して設けられている。詳細には、緩衝部６ｄは、本体６の各側部における上下の中間位置から、前記突条部６ｂの外側面との間に縦断面ほぼ楔形の緩衝空間６ｆを形成するようにして、斜め側方（図示実施の形態においては上方）に突出して形成されている。
【００５６】
熱伝達部材８の幅寸法は、第一の実施の形態における熱伝達部材８よりも小さく、根太材Ｊ、Ｊ間に収まる寸法となっており、したがって、根太材Ｊに掛けられる掛り部９は設けられていない。
【００５７】
そして、固定具１１は、図９に示すように、合成樹脂製の軸部材１２と、その軸部材１２と係合する合成樹脂製の係合部材１３とからなる。軸部材１２は、軸部１２ａと、その軸部１２ａの一端側の鍔状に張り出した頭部１２ｂとからなる。そして、この軸部１２ａの他端側となる先端側には、周面から突出する張り出し部を備えた被係合部１２ｃが設けられている。係合部材１３は、板状、特に円板状に形成されており、その中央部分には、前記軸部材１２の軸部１２ａが挿通される孔１３ａが明けられている。そして、この係合部材１３には、前記軸部材１２の被係合部１２ｃと係合する、弾性を備えた係合片１３ｂ、１３ｂが、孔１３ａの周縁部から、孔１３ａの内側に向かって斜め下方に折れ曲がって突出するようにして設けられている。そして、前記係合片１３ｂ、１３ｂの突出先端部間には、前記軸部材１２の被係合部１２ｃが押圧によって挿通される、挿通孔１３ｃが形成されている。そこで、軸部材１２における軸部１２ａが、熱伝達部材８に明けられた第３の通孔８ａ、接触部材７に明けられた第２の通孔７ｅ、そして、本体６に明けられた第１の通孔６ｅに通され、さらには、孔１３ａおよび挿通孔１３ｃを挿通することにより係合部材１３と係合し、こうして、接触部材７および熱伝達部材８は、本体６に固定される。
【００５８】
第２の配管通路形成部材２２は、図１３および図１４に示すように、第１の配管通路形成部材２１と同様に、本体６と接触部材７、７と熱伝達部材８と固定具１１、１１とからなるが、本体６においては、配管収容部５の一方側が、開口部５ａとなり、他方側は、後壁６ｇにより閉じている。そして、熱伝達部材８においては、確認窓８ｂが明けられている。この確認窓８ｂにより、配管収容部５内に収容される断熱用部材１０（図示実施の形態においては、断熱用部材１０は、本体６とは異なる色が着色されており、また、その前端部および後端部は、両隅がカットされており、かつ、縦断面テーパ形状で先端ほど板厚が薄くなっている。）の有無を、外から確認することができる。この第２の配管通路形成部材２２の他の構造は、第１の配管通路形成部材２１と同様であるが、図示実施の形態においては、その長さが短く形成されている。
【００５９】
これら第１および第２の配管通路形成部材２１、２２の敷設にあたっては、図８に示すように、これら第１および第２の配管通路形成部材２１、２２が、縦方向および横方向に並べられる。ここで、縦方向においては、第２の配管通路形成部材２２が最奥部に、そして、第１の配管通路形成部材２１が、その手前側となるようにして、配管収容部５、５が連通するように並べられる。図示実施の形態においては、予め、根太材Ｊを支持する、横材Ｋ（例えば、大引きとか根太掛け）に、支持材２３が取り付けられる（図１０参照）。この支持材２３は、横材Ｋ、Ｋ間に渡され、そして、その横材Ｋ、Ｋに、例えばビス等の固着具Ｌ、Ｌを用いて止められる。そして、第１および第２の配管通路形成部材２１、２２は、根太材Ｊ、Ｊ間において、支持材２３、２３上に載置される。こうして、第１および第２の配管通路形成部材２１、２２における配管収容部５、５が、被暖面としての床面１に沿って設けられる（詳細には、床面１下の根太材Ｊに沿って設けられる）。そして、配管収容部５の開口部５ａが、床面１に沿う方向（詳細には、根太材Ｊに沿う方向）に開口する。
【００６０】
この第１および第２の配管通路形成部材２１、２２を用いた、熱媒体管としての温水管２の配管方法は、第一の実施の形態と同様に、区画された配管収容部５の開口部５ａから、温水管２を湾曲状に折り返した状態で、その湾曲した先端側から前記配管収容部５内に送り込むが、図６および図７に示す例と同様にして、折り返された温水管２に挟まれる空間部を塞ぐべく、配管収容部５内に、断熱用部材１０が挿入されてもよい。そして、この第二の実施の形態における配管通路形成構造２０にあっては、温水管２における、区画された一の配管収容部５から、他の配管収容部５（図示実施の形態においては、隣接する配管収容部５）に移る移動部分２ａを覆う、補助部材２４が用いられる（図８参照）。
【００６１】
この補助部材２４は、図１５および図１６に示すように、第１あるいは第２の配管通路形成部材２１、２２と同様に、本体２５と熱伝達部材２６と固定具１１、１１とを備えるが、接触部材は備えていない。この補助部材２４における本体２５は、第１あるいは第２の配管通路形成部材２１、２２における本体６と同様に、断熱材としての発泡材からなるが、温水管２の前記移動部分２ａが収容される配管収容部２７として、後部において上下に貫通する切欠き２７ａ、２７ａ、そして、その切欠き２７ａ、２７ａに連通して下面にくぼむ凹部２７ｂ、２７ｂが形成されている（図１７、図１８参照）。そして、凹部２７ｂは、切欠き２７ａから本体２５の側面に向かって下方に傾斜するように形成されており、この凹部２７ｂに案内されて、温水管２は、根太材Ｊをくぐることとなる。また、本体２５には、第１あるいは第２の配管通路形成部材２１、２２における本体６と同様に、緩衝部２５ａが、前記緩衝空間６ｆを形成するようにして、本体２５の各側部のほぼ全長に渡って、すなわち長手方向に連続して設けられている。さらに、本体２５には、その前部のほぼ全長に渡って、同様の緩衝部２５ｂが、同じく前記緩衝空間６ｆを形成するようにして設けられている。熱伝達部材２６は、第１あるいは第２の配管通路形成部材２１、２２における熱伝達部材８と同様に、アルミ板等の、板状の導体からなり、温水管２から発生する熱を床面１に伝達する。この熱伝達部材２６は、本体２５の上面を、切欠き２７ａを含めて覆い、その本体２５に、固定具１１を用いて取り付けられる。すなわち、固定具１１における軸部材１２の軸部１２ａが、熱伝達部材２６に明けられた通孔２６ａ、そして、本体２５に明けられた通孔２５ｃに通され、さらには、係合部材１３と係合する。そして、この補助部材２４は、第１あるいは第２の配管通路形成部材２１、２２と同様に、根太材Ｊ、Ｊ間において、前記支持材２３、２３上に載置される。
【００６２】
また、温水管２を、床面１に沿って更新配管するための配管方法は、第１の実施の形態と同様であるが、既設の温水管２（図示実施の形態においては、温水管２および断熱用部材１０）を、第１および第２の配管通路形成部材２１、２２における配管収容部５、５から引き抜く前に、補助部材２４を取り外しておく。そして、既設の温水管２を、開口部５ａから引き抜いた後には、その開口部５ａから、新たな温水管２を、湾曲状に折り返した状態で、その湾曲した先端側から配管収容部５内に送り込むが、その後に、補助部材２４を、温水管２における前記移動部分２ａを覆うように並べる。
【００６３】
この第二の実施の形態における、温水管２の配管方法、配管通路形成部材２１、２２、および、それら配管通路形成部材２１、２２を床面に沿って配備してなる配管通路形成構造２０の作用効果は、第一の実施の形態とか図６および図７に示す例と同様であるが、特に、以下に示す作用効果を有する。
【００６４】
この配管通路形成構造２０においては、第１および第２の配管通路形成部材２１、２２の他に、補助部材２４が配備されており、これら配管通路形成部材２１、２２と補助部材２４とによって、床上と床下とが遮断されて、断熱性に優れる。そして、配管通路形成部材２１、２２を、根太材Ｊ、Ｊ間に配備した際、本体６における緩衝部６ｄが撓むようにして根太材Ｊに当接することで、配管通路形成部材２１、２２は、根太材Ｊ、Ｊ間にガタなく緊密に配備される。このとき、緩衝部６ｄは、本体６における側部のほぼ全長に渡って設けられているため、本体６の上方の熱が、下方に逃げ難く、断熱効果が高くなる。このことは、補助部材２４においても同様であり、補助部材２４を、根太材Ｊ、Ｊ間に配備した際、本体２５における緩衝部２５ａ、２５ｂが撓むようにして根太材Ｊ、Ｊとか土台（図示せず）に当接することで、補助部材２４は、根太材Ｊ、Ｊ間にガタなく緊密に配備される。そして、緩衝部２５ａ、２５ｂは、本体２５における側部および前部のほぼ全長に渡って設けられているため、本体２５の上方の熱が、下方に逃げ難く、断熱効果が高くなる。しかも、固定具１１（特に軸部材１２）は、合成樹脂製であって、温水管２から接触部材７あるいは熱伝達部材８、２６に伝わった熱が、床下に逃げ難く、一層断熱効果が高い構造となっている。その上、第２の配管通路形成部材２２における本体６は、配管収容部５の後端部分が、後壁６ｇによって閉じており、温水管２の熱が奥側に逃げ難く、より一層断熱効果が高い構造となっている。
【００６５】
また、第２の配管通路形成部材２２における熱伝達部材８には、確認窓８ｂが明けられており、配管収容部５内に送り込まれた断熱用部材１０を確認窓から確認することで、温水管２が、最後まで挿通されていることを認識することができる。特に、図示実施の形態においては、既述の通り、断熱用部材１０は、本体６とは異なる色で着色されているため、確認が一層容易となっている。
【００６６】
また、配管通路形成部材２１、２２および補助部材２４には、第一の実施の形態における配管通路形成部材３とは異なり、根太材Ｊに掛けられる掛り部９を有していない。この掛り部９は、根太材Ｊと床材Ｆとの間に位置しているが、根太材Ｊが施工後に収縮して、掛り部Ｊと床材Ｆとの間に隙間が生じると、その隙間がキシミ音発生の原因となる虞がある。したがって、この第二の実施の形態においては、配管通路形成部材２１、２２および補助部材２４にあっては、前記掛り部９を有せず、キシミ音の発生を回避することができる。
【００６７】
なお、本発明は、上述した実施の形態に限定されるわけではなく、その他種々の変更が可能である。例えば、温水管２の配管は、図１あるいは図８に示すように、温水管２を、隣接する配管収容部５内に、順次配管してもよいが、図１９に示すように、温水管２を、並んだ配管収容部５内に、１つ置きに配管し、次いで、戻るようにして、残された配管収容部５内に、順次配管してもよい。このように、温水管２を一方向（例えば、図１９において右方向）に配管し、その後、戻るようにして、反対方向（例えば、図１９において左方向）に配管することで、徐々に冷める温水管２に対して、床面１をバランス良く暖めることができる。
【００６８】
また、配管収容部５は、根太材Ｊに沿うように真直ぐ延びていなくとも、図２０に示すように、渦を巻くように延びることで、例えば、部屋全体の床面下に配管されてもよい。このように、配管収容部５の形状は、温水管２を、湾曲状に折り返した状態で送り込むことができるものであれば、どのような形状であってもよい。
【００６９】
また、配管通路形成部材３、２１、２２は、根太材Ｊ、Ｊ間に配備されなくとも、根太材Ｊの上であって、床板Ｆの下に配備されてもよい。また、この配管通路形成部材３、２１、２２は、暖房用として、床に配備されなくとも、被暖物としての壁等に配備されてもよい。さらに、配管通路形成部材３、２１、２２は、暖房に用いられなくとも、この配管通路形成部材３、２１、２２を被暖物としての屋根とか道路等に配備することで、積もった雪を溶かすために用いられてもよい。
【００７０】
また、熱媒体管は、温水管２でなくとも、温水以外の液体が通る管であってもよく、また、蒸気とか、燃焼ガス等の気体が通る管であってもよい。
【００７１】
また、接触部材７は、側片７ｂから下片７ｃに移るアール状のコーナー片７ｄが、温水管２の外面と接触するが、側片７ｂを、温水管２の外面に沿うようにアール状に形成することで、コーナー片７ｄに加えて側片７ｂもまた、温水管２の外面と接触するようにしてもよい。こうすることで、この接触部材７と温水管２との接触面積が増加し、温水管２から発生する熱は、この接触部材７に、効率よく伝達される。
【００７２】
また、第二の実施の形態においは、第１および第２の配管通路形成部材２１、２２を用いているが、床面１の奥行き方向の寸法が短い場合等には、第１の配管通路形成部材２１を用いることなく、第２の配管通路形成部材２２のみを用いてもよい。
【図面の簡単な説明】
【００７３】
【図１】この発明に係る、暖用の熱媒体管の、配管方法、配管通路形成部材、および配管通路形成構造の第一の実施の形態の、平面図である。
【図２】同じく、要部拡大断面図である。
【図３】同じく、配管通路形成部材の分解斜視図である。
【図４】同じく、配管通路形成部材の斜視図である。
【図５】同じく、温水管を配管収容部内に送り込む過程を示す斜視図である。
【図６】第一の実施の形態の、変形例を示す、図２相当図である。
【図７】同じく、図５相当図である。
【図８】この発明に係る、暖用の熱媒体管の、配管方法、配管通路形成部材、および配管通路形成構造の第二の実施の形態の、平面図である。
【図９】同じく、要部拡大断面図である。
【図１０】同じく、支持材が配備された状態を示す平面図である。
【図１１】同じく、第１の配管通路形成部材の分解斜視図である。
【図１２】同じく、第１の配管通路形成部材の斜視図である。
【図１３】同じく、第２の配管通路形成部材の分解斜視図である。
【図１４】同じく、第２の配管通路形成部材の斜視図である。
【図１５】同じく、補助部材の分解斜視図である。
【図１６】同じく、補助部材の斜視図である。
【図１７】同じく、補助部材における本体の背面図である。
【図１８】同じく、図１７における、Ｐ矢視図である。
【図１９】この発明に係る、暖用の熱媒体管の、配管方法、配管通路形成部材、および配管通路形成構造の、他の例を示す、平面図である。
【図２０】この発明に係る、暖用の熱媒体管の、配管方法、配管通路形成部材、および配管通路形成構造の、さらに他の例を示す、平面図である。
【図２１】従来の床暖房用のパネルを示す斜視図である。
【符号の説明】
【００７４】
１  床面（被暖面）                ２  温水管（熱媒体管）
３  配管通路形成部材              ４  配管通路形成構造
５  配管収容部                    ５ａ  開口部
７  接触部材                      ８  熱伝達部材
９  掛り部                        １０  断熱用部材
２０  配管通路形成構造
２１  第１の配管通路形成部材（配管通路形成部材）
２２  第２の配管通路形成部材（配管通路形成部材）
Ｊ  根太材
【図１】
2004219064.tif 000003
【図２】
2004219064.tif 000004
【図３】
2004219064.tif 000005
【図４】
2004219064.tif 000006
【図５】
2004219064.tif 000007
【図６】
2004219064.tif 000008
【図７】
2004219064.tif 000009
【図８】
2004219064.tif 000010
【図９】
2004219064.tif 000011
【図１０】
2004219064.tif 000012
【図１１】
2004219064.tif 000013
【図１２】
2004219064.tif 000014
【図１３】
2004219064.tif 000015
【図１４】
2004219064.tif 000016
【図１５】
2004219064.tif 000017
【図１６】
2004219064.tif 000018
【図１７】
2004219064.tif 000019
【図１８】
2004219064.tif 000020
【図１９】
2004219064.tif 000021
【図２０】
2004219064.tif 000022
【図２１】
2004219064.tif 000023